(57)【要約】【課題】  入口が明確でないような空間において、複数の移動物体が識別子の受信領域および位置検出領域に侵入したとき、複数の移動物体の位置と識別子とをそれぞれ対応付けることができる移動物体検出システムを得る。【解決手段】  この発明に係る移動物体検出システムは、移動物体の位置を検出する位置検出手段５と、移動物体の位置履歴を管理する位置履歴管理手段６と、移動物体が保持している携帯端末２から移動物体の識別子を受信する識別子受信手段３と、識別子の履歴を管理する識別子履歴管理手段４と、移動物体の位置履歴および識別子の履歴に基づいて移動物体の位置と識別子とを対応付ける移動物体対応付け手段７とを備え、少なくとも位置検出手段の位置検出領域４１の一部と識別子受信手段の識別子受信領域３１の一部とは重なっているものである。【選択図】          図１
2006098214.tif 000002
【特許請求の範囲】
【請求項１】
移動物体の位置を検出する位置検出手段と、
前記移動物体の位置履歴を管理する位置履歴管理手段と、
前記移動物体が保持している携帯端末から前記移動物体の識別子を受信する識別子受信手段と、
前記識別子の履歴を管理する識別子履歴管理手段と、
前記移動物体の位置履歴および前記識別子の履歴に基づいて前記移動物体の位置履歴と前記識別子とを対応付ける移動物体対応付け手段とを備え、
少なくとも前記位置検出手段の位置検出領域の一部と前記識別子受信手段の識別子受信領域の一部とは重なっていることを特徴とする移動物体検出システム。
【請求項２】
移動物体対応付け手段は、位置検出手段が移動物体の位置を検出し始めた時刻と識別子受信手段が識別子を受信し始めた時刻との差が所定時間以内である場合には、前記移動物体の位置履歴と前記識別子とを対応付けることを特徴とする請求項１記載の移動物体検出システム。
【請求項３】
移動物体対応付け手段は、移動物体が識別子受信領域に入ったことを位置検出手段が検出した時刻と識別子受信手段が識別子を受信し始めた時刻との差が所定時間以内である場合には、前記移動物体の位置履歴と前記識別子とを対応付けることを特徴とする請求項１記載の移動物体検出システム。
【請求項４】
移動物体の画像と識別子とを対応付けて前記画像を管理する画像管理手段を備えたことを特徴とする請求項１記載の移動物体検出システム。
【請求項５】
識別子と対応付けた移動物体の位置履歴を管理する移動物体管理手段を備えた請求項１記載の移動物体検出システム。
【請求項６】
識別子と対応付けた移動物体の位置履歴と識別子とに基づいて前記移動物体の通行またはシステム利用の認証を行う移動物体認証手段を備えたことを特徴とする請求項１記載の移動物体検出システム。
【発明の詳細な説明】
【技術分野】
【０００１】
この発明は、移動物体の位置履歴と識別子とを対応付けるシステムに関するものである。
【背景技術】
【０００２】
従来の移動物体検出システムでは、複数の移動物体である人体の位置と識別子とを対応付けるために、位置検知手段の検知エリアに隣接して検知エリア入口Ａおよび検知エリア入口Ｂの２つの入口があり、そのそれぞれに第１電波発信手段および第２電波発信手段を設置する。個人情報端末番号（識別子）を持たせた個人情報端末を所持した複数の人体がそれぞれ検知エリア入口Ａおよび検知エリア入口Ｂから位置検知手段の検知エリアに侵入してきた場合、基地局にそれぞれの個人情報端末から判定結果（個人情報端末番号と電波発信手段番号）が送信される。
【０００３】
送信された判定結果は位置検知手段に送信され、位置検知手段に第１電波発信手段および第２電波発信手段のそれぞれから進入した人体に対応する個人情報端末番号入力される。
【０００４】
位置検出手段はこの情報から、位置検知手段の検知エリア内で検出された複数の人体それぞれが誰であるかを特定できる。それによって、各人の位置を特定することができる（例えば、特許文献１参照）。
【０００５】
【特許文献１】特開２００２−１４８３４９号公報（第６頁、第４図）
【発明の開示】
【発明が解決しようとする課題】
【０００６】
このような移動物体検出システムにあっては、複数の移動物体の位置と識別子とを対応付けるために、入口が明確な閉鎖された空間を設ける必要が有る。しかしながら、入口が明確でない空間等の多様な空間において、複数の移動物体が識別子の受信領域および位置検出領域に侵入したとき、複数の移動物体の位置と識別子とをそれぞれ対応付けることが困難であるという問題があった。
【０００７】
この発明は、上述のような問題を解決するためになされたものであり、その目的は、入口が明確でない空間等の多様な空間において、複数の移動物体が識別子の受信領域および位置検出領域に侵入したとき、複数の移動物体の位置と識別子とをそれぞれ対応付けることができる移動物体検出システムを得るものである。
【課題を解決するための手段】
【０００８】
この発明に係る移動物体検出システムは、移動物体の位置を検出する位置検出手段と、移動物体の位置履歴を管理する位置履歴管理手段と、移動物体が保持している携帯端末から移動物体の識別子を受信する識別子受信手段と、識別子の履歴を管理する識別子履歴管理手段と、移動物体の位置履歴および識別子の履歴に基づいて移動物体の位置履歴と識別子とを対応付ける移動物体対応付け手段とを備え、少なくとも位置検出手段の位置検出領域の一部と識別子受信手段の識別子受信領域の一部とは重なっているものである。
【発明の効果】
【０００９】
この発明に係る移動物体検出システムは、移動物体の位置を検出する位置検出手段と、移動物体の位置履歴を管理する位置履歴管理手段と、移動物体が保持している携帯端末から移動物体の識別子を受信する識別子受信手段と、識別子の履歴を管理する識別子履歴管理手段と、移動物体の位置履歴および識別子の履歴に基づいて移動物体の位置と識別子とを対応付ける移動物体対応付け手段とを備え、少なくとも位置検出手段の位置検出領域の一部と識別子受信手段の識別子受信領域の一部とは重なっているので、入口が明確でない空間において、複数の移動物体が識別子の受信領域および位置検出領域に侵入したときも移動物体の位置履歴と識別子とをそれぞれ対応付けることができる。
【発明を実施するための最良の形態】
【００１０】
実施の形態１．
図１は、この発明の実施の形態１による移動物体検出システムを示す構成図である。移動物体である人物１は、ＲＦＩＤ（Ｒａｄｉｏ  Ｆｒｅｑｕｅｎｃｙ  Ｉｄｅｎｔｉｆｉｃａｔｉｏｎ）などの携帯端末２を保持し、携帯端末２は、人物１の識別子ＸＩＤを重畳した電波を発信する。識別子受信手段である無線受信装置３は、携帯端末２が発信した識別子ＸＩＤを重畳した電波を受信し、識別子履歴管理手段４は、受信した識別子ＸＩＤの履歴を管理する。また、識別子履歴管理手段４は、受信終了後、所定時間経過した識別子ＸＩＤの履歴を削除する。識別子受信領域３１は、無線受信装置３による識別子ＸＩＤの受信可能領域である。
【００１１】
画像センサによる位置検出装置５は、人物１の位置検出手段であり、人物１の位置を検出し、連続的に追跡する。位置履歴管理手段６は、位置検出装置５が検出した人物１の位置履歴ＹＰを管理する。また、位置履歴管理手段６は、検出終了後、所定時間経過した人物１の位置履歴ＹＰを削除する。位置検出領域４１は、位置検出装置５による人物１の位置の検出可能領域である。少なくとも位置検出装置５の位置検出領域４１の一部と無線受信装置３の識別子受信領域３１の一部とは重なっている。図において、同一の符号を付したものは、同一またはこれに相当するものであり、このことは明細書の全文において共通することである。さらに、明細書全文に表れている構成要素の形容は、あくまで例示であってこれらの記載に限定されるものではない。
【００１２】
図２は、この実施の形態１による移動物体検出システムの識別子受信領域３１および位置検出領域４１の関係を示す図である。この実施の形態１においては、識別子受信領域３１および位置検出領域４１は、ほぼ重なっている。
【００１３】
移動物体対応付け手段７は、識別子履歴管理手段４から得られる識別子ＸＩＤの履歴および位置履歴管理手段６から得られる人物１の位置履歴ＹＰに基づいて、人物１の位置履歴ＹＰと識別子ＸＩＤとの対応付けを行う。
【００１４】
図３は、位置履歴ＹＰおよび識別子ＸＩＤの履歴である。図３において、単純に人物１の位置を検出した順および識別子ＸＩＤを受信した順に位置履歴ＹＰと識別子ＸＩＤとを対応付けるとすると、識別子ＸＩＤ１１の受信開始時刻ｔＸＩＤＳ１１の時点で、識別子ＸＩＤ１１と位置履歴ＹＰ１１とを対応付ける。しかしながら、時刻ｔＹＰＳ１２に位置履歴ＹＰ１２の検出が開始され、識別子ＸＩＤ１１の受信開始時刻ｔＸＩＤＳ１１と位置履歴ＹＰ１１の検出開始時刻ｔＹＰＳ１１との差が大きく、識別子ＸＩＤ１１の受信開始時刻ｔＸＩＤＳ１１と位置履歴ＹＰ１２の検出開始時刻ｔＹＰＳ１２との差が小さい場合には、識別子ＸＩＤ１１は、位置履歴ＹＰ１２と対応付けられるべきである。よって、図３のケースにおいて、単純に識別子ＸＩＤ１１と位置履歴ＹＰ１１とを対応付けるべきではない。
【００１５】
図４は、この発明の実施の形態１による移動物体検出システムの移動物体対応付け手段７の対応付け処理方法を示すフローチャートである。以下に、移動物体対応付け手段７の対応付け処理方法を説明する。
【００１６】
まず、識別子履歴管理手段４に管理されている識別子ＸＩＤの中から、位置履歴ＹＰとの対応付け処理がされていない識別子ＸＩＤがあるかを調べる（Ｓ１）。位置履歴ＹＰとの対応付け処理がされていない識別子ＸＩＤがない場合には、処理を終了する。位置履歴ＹＰとの対応付け処理がされていない識別子ＸＩＤがある場合には、その中から最も先に受信された識別子ＸＩＤＸを抽出する(Ｓ２)。
【００１７】
次に、位置履歴管理手段６から識別子ＸＩＤとの対応付け処理がされていない位置履歴ＹＰがあるかを調べる(Ｓ３)。識別子ＸＩＤとの対応付け処理がされていない位置履歴ＹＰがない場合には、処理を終了する。識別子ＸＩＤとの対応付処理がされていない位置履歴ＹＰがある場合には、その中から最も先に検出された位置履歴ＹＰＸを抽出する（Ｓ４）。
【００１８】
抽出した識別子ＸＩＤＸの受信開始時刻ｔＸＩＤＳＸと位置履歴ＹＰＸの検出開始時刻ｔＹＰＳＸとの差が所定時間ＴＤ１以内かどうかを判断する（Ｓ５）。識別子ＸＩＤＸの受信開始時刻ｔＸＩＤＳＸと位置履歴ＹＰＸの検出開始時刻ｔＹＰＳＸとの差が所定時間ＴＤ１以内である場合には、識別子ＸＩＤＸと位置履歴ＹＰＸとを対応付ける（Ｓ６）。ここで、識別子ＸＩＤＸの受信開始時刻ｔＸＩＤＳＸと位置履歴ＹＰＸの検出開始時刻ｔＹＰＳＸとの差とは、ｔＸＩＤＳＸ−ｔＹＰＳＸの絶対値およびｔＹＰＳＸ−ｔＸＩＤＳＸの絶対値を意味する。ステップＳ５で、識別子ＸＩＤＸの受信開始時刻ｔＸＩＤＳＸと位置履歴ＹＰＸの検出開始時刻ｔＹＰＳＸとの差が所定時間ＴＤ１を超えている場合には、ステップＳ３に戻って、他に識別子ＸＩＤとの対応付け処理がされていない位置履歴ＹＰがあるかを調べ、同様の処理を行う。ステップＳ６で識別子ＸＩＤＸと位置履歴ＹＰＸとを対応付けた後は、ステップＳ１に戻って、同様の処理を繰り返す。
【００１９】
このような構成および機能にすることによって、入口が明確でない空間等の多様な空間において、様々なタイミングで様々な方向から識別子受信領域３１および位置検出領域４１に侵入する複数の移動物体の識別子ＸＩＤと位置履歴ＹＰとを確実に対応付けることができる。また、携帯端末２を持っていない移動物体の位置履歴ＹＰおよび携帯端末２を持っている移動物体の位置履歴ＹＰが検出された場合、または携帯端末２からの識別子ＸＩＤのみ受信された場合にも、確実に識別子ＸＩＤと位置履歴ＹＰとを対応付けることができる。
【００２０】
この実施の形態１では、ステップＳ１において、先に、位置履歴ＹＰとの対応付け処理がされていない識別子ＸＩＤＸを抽出したが、先に識別子ＸＩＤとの対応付け処理がされていない位置履歴ＹＰＸを抽出してもよい。
【００２１】
また、この実施の形態１においては、携帯端末２としてＲＦＩＤを用いたが、ＩＣタグ、無線ＬＡＮ、携帯電話、キーレスエントリー用キー、携帯ＩＰ電話等を用いてもよい。また、無線受信装置３は、携帯端末２に対応した装置を利用すればよい。
【００２２】
さらに、この実施の形態１においては、位置検出装置５を画像センサとしたが、ステレオカメラセンサ、赤外線センサ、測距センサ、超音波センサなどを用いた場合においても、同様の効果を得ることができる。
【００２３】
また、この実施の形態１においては、移動物体として人物１を示したが、動物、車両等の他の移動物体に対しても、同様の効果を得ることができる。
【００２４】
実施の形態２．
図５は、位置履歴ＹＰおよび識別子ＸＩＤの履歴である。図５において、識別子ＸＩＤ２１の受信開始時刻ｔＸＩＤＳ２１と位置履歴ＹＰ２２の検出開始時刻ｔＹＰＳ２２との差が小さい場合には、識別子ＸＩＤ２１を位置履歴ＹＰ２１と位置履歴ＹＰ２２とのどちらに対応付けるべきか判断するのは、困難である。しかしながら、図５に示すように、位置履歴ＹＰ２１の検出終了時刻ｔＹＰＥ２１以後においても、識別子ＸＩＤ２１が受信されており、かつ位置履歴ＹＰ２２が検出されている場合には、識別子ＸＩＤ２１と位置履歴ＹＰ２２とを対応付けるべきである。
【００２５】
図６も、位置履歴ＹＰおよび識別子ＸＩＤの履歴である。図６においても、位置履歴ＹＰ３１の検出開始時刻ｔＹＰＳ３１と識別子ＸＩＤ３２の受信開始時刻ｔＸＩＤＳ３２との差が小さい場合には、識別子ＸＩＤ３１，識別子ＸＩＤ３２と位置履歴ＹＰ３１，位置履歴ＹＰ３２とをそれぞれどのように対応付けるべきかを判断するのは、困難である。しかしながら、図６に示すように、識別子ＸＩＤ３１の受信終了時刻ｔＸＩＤＥ３１以後においても、識別子ＸＩＤ３２が受信されており、かつ位置履歴ＹＰ３１が検出されている場合には、識別子ＸＩＤ３２と位置履歴ＹＰ３１とを対応付けるべきである。また、位置履歴ＹＰ３２の検出終了時刻ｔＹＰＥ３２と識別子ＸＩＤ３１の受信終了時刻ｔＸＩＤＥ３１との差が小さい場合には、識別子ＸＩＤ３１と位置履歴ＹＰ３２とを対応付けるべきである。
【００２６】
図７は、この実施の形態２による移動物体対応付け手段７が対応付け評価を行う対応付け解除および再対応付け処理方法のフローチャートである。以下に、移動物体対応付け手段７の対応付け解除および再対応付け処理方法を説明する。移動物体検出システムの構成は、実施の形態１と同様である。
【００２７】
既に対応付けられている識別子ＸＩＤＸと位置履歴ＹＰＸとの組合せを抽出する(Ｓ１１)。識別子ＸＩＤＸは受信されているが、位置履歴ＹＰＸは所定時間ＴＤ２以上検出されていないかどうかを判断する(Ｓ１２)。ステップＳ１２で位置履歴ＹＰＸが所定時間ＴＤ２以上検出されていないと判断すると、識別子ＸＩＤＸと位置履歴ＹＰＸの対応付けを解除する(Ｓ１３)。
【００２８】
次に、位置履歴ＹＰＸ以外の識別子ＸＩＤとの対応付け処理がされていない位置履歴ＹＰＹがあるかを判断する（Ｓ１４）。位置履歴ＹＰＸ以外の識別子ＸＩＤとの対応付け処理がされていない位置履歴ＹＰＹがなければ、ステップＳ２１に進む（Ｓ１４）。位置履歴ＹＰＸ以外の識別子ＸＩＤと対応付けされていない位置履歴ＹＰＹがあれば、ステップＳ１５に進む（Ｓ１４）。
【００２９】
位置履歴ＹＰＸ以外の識別子ＸＩＤとの対応付け処理がされていない位置履歴ＹＰＹを抽出する（Ｓ１５）。識別子ＸＩＤＸの受信開始時刻ｔＸＩＤＳＸと位置履歴ＹＰＹの検出開始時刻ｔＹＰＳＹとの差が所定時間ＴＤ１以内であるか判断する(Ｓ１６)。ステップＳ１６の判断の結果、識別子ＸＩＤＸの受信開始時刻ｔＸＩＤＳＸと位置履歴ＹＰＹの検出開始時刻ｔＹＰＳＹとの差が所定時間ＴＤ１を超えていれば、ステップＳ２１に進む。識別子ＸＩＤＸの受信開始時刻ｔＸＩＤＳＸと位置履歴ＹＰＹの検出開始時刻ｔＹＰＳＹとの差が所定時間ＴＤ１以内である場合には、識別子ＸＩＤＸと位置履歴情報ＹＰＹとを再対応付けする(Ｓ１７)。
【００３０】
ステップＳ１２の判断の結果、該当しないと判断すると、位置履歴ＹＰＸは検出されているが、識別子ＸＩＤＸは所定時間ＴＤ２以上受信されていないかどうか判断する(Ｓ１８)。ステップＳ１８の判断の結果、識別子ＸＩＤＸは所定時間ＴＤ２以上受信されていないと判断すると、ステップＳ１３に進み、識別子ＸＩＤＸと位置履歴ＹＰＸの対応付けを解除する(Ｓ１３)。その後のステップＳ１４〜ステップＳ１７の処理については、上述のとおりである。
【００３１】
ステップＳ１８の判断の結果、該当しないと判断すると、識別子ＸＩＤＸの受信開始時刻ｔＸＩＤＳＸと検出開始時刻ｔＹＰＳＺとの差が所定時間ＴＤ１以内である位置履歴ＹＰＸ以外の別の位置履歴ＹＰＺがあるかどうか判断する(Ｓ１９)。ステップＳ１９で識別子ＸＩＤＸの受信開始時刻ｔＸＩＤＳＸと検出開始時刻ｔＹＰＳＺとの差が所定時間ＴＤ１以内である位置履歴ＹＰＸ以外の位置履歴ＹＰＺがあると判断すると、識別子ＸＩＤＸと位置履歴ＹＰＸとの対応付けを解除する(Ｓ２０)。識別子ＸＩＤＸと位置履歴ＹＰＸとの対応付けを解除すると、ステップＳ２１に進む。
【００３２】
ステップＳ１９で該当する位置履歴ＹＰＺがなかった場合には、ステップＳ２１に進む（Ｓ１９）。ステップＳ２１では、まだ評価していない識別子ＸＩＤと位置履歴ＹＰとの対応付けがあるかどうかを判断する(Ｓ２１)。まだ評価していない識別子ＸＩＤと位置履歴ＹＰとの対応付けがある場合には、ステップＳ１１に戻って同様の処理を繰り返す。まだ評価していない識別子ＸＩＤと位置履歴ＹＰとの対応付けがない場合には、処理を終了する。
【００３３】
以上のように識別子ＸＩＤと位置履歴ＹＰとの対応付けを評価することによって、たとえ一旦、識別子ＸＩＤと位置履歴ＹＰとの対応付けを間違った場合であっても、正しい対応付けに復帰することができる。また、無線受信装置３および位置検出装置５が外乱によって正しく検出できない場合にも、対応付けの間違いを最小限に抑制し、移動物体の位置履歴ＹＰと識別子ＸＩＤとの対応付けおよび移動物体の位置の追跡を復帰することができる。さらに、識別子ＸＩＤと位置履歴ＹＰとの対応付けがはっきりしない場合には、対応付けを保留することができる。また、携帯端末２を持っていない移動物体と携帯端末２を持っている移動物体の位置が検出された場合、または携帯端末２からの識別子ＸＩＤのみが受信された場合にも対応することができる。
【００３４】
実施の形態３.
図８は、移動物体対応付け手段７において、複数の人物１が短い時間内に識別子受信領域３１および位置検出領域４１に侵入した場合の位置履歴ＹＰと識別子ＸＩＤＸとの対応付けおよび対応付けの保留の処理方法を示すフローチャートである。移動物体検出システムの構成は、実施の形態１と同様である。
【００３５】
まず、ステップＳ３１〜ステップＳ３３までは、図４に示したステップＳ１〜ステップＳ３と同様に処理を進める。ステップＳ３４で識別子ＸＩＤとの対応付けがされていない位置履歴ＹＰを抽出した後、検出開始時刻ｔＹＰＳＸと識別子ＸＩＤＸの受信開始時刻ｔＸＩＤＳＸとの差が所定時間ＴＤ１以内である位置履歴ＹＰＸがあるかどうかを判断する(Ｓ３５)。検出開始時刻ｔＹＰＳＸと識別子ＸＩＤＸの受信開始時刻ｔＸＩＤＳＸとの差が所定時間ＴＤ１以内である位置履歴ＹＰＸがない場合には、処理を終了する。検出開始時刻ｔＹＰＳＸと識別子ＸＩＤＸの受信開始時刻ｔＸＩＤＳＸとの差が所定時間ＴＤ１以内である位置履歴ＹＰＸがある場合には、検出開始時刻ｔＹＰＳＸと識別子ＸＩＤＸの受信開始時刻ｔＸＩＤＳＸとの差が所定時間ＴＤ１以内である位置履歴ＹＰＸが複数あるかを判断する（Ｓ３６）。
【００３６】
検出開始時刻ｔＹＰＳＸと識別子ＸＩＤＸの受信開始時刻ｔＸＩＤＳＸとの差が所定時間ＴＤ１以内である位置履歴ＹＰＸが１つしかない場合は、識別子ＸＩＤＸと位置履歴ＹＰＸとを対応付ける（Ｓ３９）。検出開始時刻ｔＹＰＳＸと識別子ＸＩＤＸの受信開始時刻ｔＸＩＤＳＸとの差が所定時間ＴＤ１以内である位置履歴ＹＰＸが複数ある場合には、識別子ＸＩＤＸと位置履歴ＹＰＸとの対応付けを保留する(Ｓ３７)。
【００３７】
ステップＳ３７の処理の後、識別子ＸＩＤＸが受信されており、かつ位置履歴ＹＰＸが１つのみ検出されている状態になったかどうかを判断する(Ｓ３８)。ステップＳ３８の判断の結果、識別子ＸＩＤＸが受信されており、かつ位置履歴ＹＰＸが１つのみ検出されている状態になった場合には、識別子ＸＩＤＸとその位置履歴ＹＰＸとの対応付けを行う(Ｓ３９)。識別子ＸＩＤＸと位置履歴ＹＰＸとの対応付けを行うと、ステップＳ３１に戻って、同様の処理を繰り返す。
【００３８】
ステップＳ３８に該当しなかった場合には、識別子ＸＩＤＸは受信されなくなり、検出終了時刻ｔＹＰＥＸと識別子ＸＩＤＸの受信終了時刻ｔＸＩＤＥＸとの差が所定時間ＴＤ３以内である位置履歴ＹＰＸがあるかを判断する（Ｓ４０）。識別子ＸＩＤＸが受信されなくなり、検出終了時刻ｔＹＰＥＸと識別子ＸＩＤＸの受信終了時刻ｔＸＩＤＥＸとの差が所定時間ＴＤ３以内である位置履歴ＹＰＸがある場合には、その位置履歴ＹＰＸと識別子ＸＩＤＸとを対応付ける（Ｓ３９）。
【００３９】
識別子ＸＩＤＸが受信されなくなり、検出終了時刻ｔＹＰＥＸと識別子ＸＩＤＸの受信終了時刻ｔＸＩＤＥＸとの差が所定時間ＴＤ３以内である位置履歴ＹＰＸがない場合には、ステップＳ３１に戻り、同様の処理を繰り返す。
【００４０】
このような構成および機能にすることによって、入口が明確でない空間等の多様な空間において、様々なタイミングで様々な方向から識別子受信領域３１および位置検出領域４１に侵入する複数の移動物体の位置履歴ＹＰと識別子ＸＩＤとを確実に対応付けることができる。また、携帯端末２を持っていない移動物体の位置履歴ＹＰおよび携帯端末２を持っている移動物体の位置履歴ＹＰが検出された場合、または携帯端末２からの識別子ＸＩＤのみ受信された場合にも、確実に識別子ＸＩＤと位置履歴ＹＰとを対応付けることができる。
【００４１】
実施の形態４．
図９は、この発明の実施の形態４による識別子受信領域３１および位置検出領域４１の関係を示す図である。領域４１−１は識別子受信領域３１と位置検出領域４１の共通領域である。また、領域４１−２は位置検出領域４１であり、かつ識別子受信領域３１の外の領域である。移動物体検出システムの構成は、図１に示した実施の形態１のものと同様である。
【００４２】
図１０は、移動物体検出システムの移動物体対応付け手段７の対応付け処理方法を示すフローチャートである。以下に、移動物体対応付け手段７の対応付け処理方法を説明する。
【００４３】
まず、位置履歴ＹＰから、人物１の検出が開始されたときの位置が、領域４１−１ではなく、領域４１−２であったかどうかを判断する(Ｓ４１)。ステップＳ４１の結果、人物１の検出が開始されたときの位置が、領域４１−２ではなく、領域４１−１であった場合には、ステップＳ４５に進む。人物１の検出が開始されたときの位置が、領域４１−２であった場合には、位置履歴ＹＰから、人物１が領域４１−２から識別子受信領域である領域４１−１に移動したかどうかを判断する（Ｓ４２）。人物１が領域４１−２から領域４１−１に移動しなかった場合には、処理を終了する。
【００４４】
人物１が領域４１−２から領域４１−１に移動した場合には、位置履歴ＹＰとの対応付け処理がされていない識別子ＸＩＤＸの受信開始時刻ｔＸＩＤＳＸと人物１が領域４１−２から識別子受信領域である領域４１−１に移動した時刻、すなわち人物１が識別子受信領域である領域４１−１に入ったことを位置検出装置５が検出した時刻ＴＭとの差が所定時間ＴＤ１以内であるかどうかを判断する（Ｓ４３）。識別子ＸＩＤＸの受信開始時刻ｔＸＩＤＳＸと人物１が識別子受信領域である領域４１−１に入ったことを位置検出装置５が検出した時刻ＴＭとの差が所定時間ＴＤ１を超えている場合には、処理を終了する。識別子ＸＩＤＸの受信開始時刻ｔＸＩＤＳＸと人物１が識別子受信領域である領域４１−１に入ったことを位置検出装置５が検出した時刻ＴＭとの差が所定時間ＴＤ１以内である場合には、位置履歴ＹＰＸと識別子ＸＩＤＸとを対応付ける(Ｓ４４)。位置履歴ＹＰＸと識別子ＸＩＤＸとを対応付けると、処理を終了する。
【００４５】
ステップＳ４１の結果、人物１の検出開始されたときの位置が、領域４１−２ではなく、領域４１−１であった場合、位置履歴ＹＰとの対応付け処理がされていない識別子ＸＩＤＸの受信開始時刻ｔＸＩＤＳＸと位置履歴ＹＰＸの検出開始時刻ｔＹＰＳＸとの差が所定時間ＴＤ１以内かどうかを判断する（Ｓ４５）。ステップＳ４５の判断の結果、位置履歴ＹＰとの対応付け処理がされていない識別子ＸＩＤＸの受信開始時刻ｔＸＩＤＳＸと位置履歴ＹＰＸの検出開始時刻ｔＹＰＳＸとの差が所定時間ＴＤ１を超えていた場合、処理を終了する。位置履歴ＹＰＸの検出開始時刻ｔＹＰＳＸと位置履歴ＹＰとの対応付け処理がされていない識別子ＸＩＤＸの受信開始時刻ｔＸＩＤＳＸとの差が所定時間ＴＤ１以内である場合、位置履歴ＹＰＸと識別子ＸＩＤＸとを対応付ける(Ｓ４４)。位置履歴ＹＰＸと識別子ＸＩＤＸとを対応付けると、処理を終了する。
【００４６】
このような構成および機能にすることによって、識別子受信領域３１と位置検出領域４１とが一部しか共通していなくても、位置履歴ＹＰと識別子ＸＩＤとの対応付けおよび連続した移動物体の位置の追跡が可能となる。また、移動物体の位置履歴を利用して、位置履歴ＹＰと識別子ＸＩＤとの対応付けおよび移動物体の位置の追跡を行うので、無線受信装置３および位置検出装置５の多様な設置パターンに対応することが可能となる。さらに、無線受信装置３による識別子ＸＩＤの受信および位置検出装置５による移動物体の位置の検出が不安定になった場合でも、連続した位置履歴ＹＰと識別子ＸＩＤとの対応付けおよび移動物体の位置の追跡が可能となる。
【００４７】
この実施の形態４では識別子受信領域３１および位置検出領域４１の関係を図９のように示したが、図１１に示すような関係でも同様の効果を得ることができる。
【００４８】
実施の形態５．
図１２は、この発明の実施の形態５による移動物体検出システムを示す構成図である。無線受信装置３ａ，３ｂ，３ｃが３台ある以外は、実施の形態１に示す構成と同様である。なお、図１２においては、人物１、携帯端末２、識別子受信領域３１ａ，３１ｂ，３１ｃおよび位置検出領域４１を省略している。
【００４９】
また、図１３は、この発明の実施の形態５による移動物検出システムの識別子受信領域３１ａ，３１ｂ，３１ｃおよび位置検出領域４１の関係を示す図である。領域３１ａは無線受信装置３ａの識別子受信領域、領域３１ｂは無線受信装置３ｂの識別子受信領域、領域３１ｃは無線受信装置３ｃの識別子受信領域である。領域４１は位置検出装置５の位置検出領域である。領域３１ａ−１，３１ｂ−１，３１ｃ−１は、識別子受信領域３１と位置検出領域４１との共通領域である。また、領域３１ａ−２，３１ｂ−２，３１ｃ−２は、識別子受信領域３１であり、かつ位置検出領域４１の外の領域である。
【００５０】
図１４は、この発明の実施の形態５による移動物体検出システムの移動物体対応付け手段７の対応付け処理方法を示すフローチャートである。以下、移動物体対応付け手段７の対応付け処理方法を説明する。
【００５１】
識別子ＸＩＤとの対応付け処理がされていない位置履歴ＹＰＸが最初に領域３１ａ−１で検出されたかどうかを判断する(Ｓ５１)。ステップＳ５１の判断の結果、識別子ＸＩＤとの対応付け処理がされていない位置履歴ＹＰＸが最初に領域３１ａ−１で検出された場合には、位置履歴ＹＰＸが検出される前から領域３１ａで受信されている識別子ＸＩＤＸがあるかを判断する（Ｓ５２）。位置履歴ＹＰＸが検出される前から領域３１ａで受信されている識別子ＸＩＤＸがない場合には、処理を終了する。
【００５２】
位置履歴ＹＰＸが検出される前から領域３１ａで受信されている識別子ＸＩＤＸがある場合には、識別子ＸＩＤＸの受信開始時刻ｔＸＩＤＳＸと位置履歴ＹＰＸの検出開始時刻ｔＹＰＳＸとの差が所定時間ＴＤ４以内であるか判断する（Ｓ５３）。識別子ＸＩＤＸの受信開始時刻ｔＸＩＤＳＸと位置履歴ＹＰＸの検出開始時刻ｔＹＰＳＸとの差が所定時間ＴＤ４を超えている場合には、処理を終了する（Ｓ５３）。識別子ＸＩＤＸの受信開始時刻ｔＸＩＤＳＸと位置履歴ＹＰＸの検出開始時刻ｔＹＰＳＸとの差が所定時間ＴＤ４以内である場合には、識別子ＸＩＤＸと位置履歴ＹＰＸとの対応付けを行う(Ｓ５４)。
【００５３】
この実施の形態５では、領域３１ａでの対応付け処理方法を示したが、他の領域３１ｂ，３１ｃにおいても同様の操作を行う。
【００５４】
このような構成および機能にすることによって、識別子受信領域３１と位置検出領域４１との関係が複雑であっても、位置履歴ＹＰと識別子ＸＩＤとの対応付けおよび連続した移動物体の位置の追跡が可能となる。複数の識別子受信領域３１で受信された識別子ＸＩＤの履歴と位置履歴ＹＰを用いて、位置履歴ＹＰと識別子ＸＩＤとの対応付けおよび移動物体の位置の追跡を行うので、無線受信装置３および位置検出装置５の多様な設置パターンに対応することが可能となる。また、無線受信装置３による識別子ＸＩＤの受信および位置検出装置５による移動物体の位置の検出が不安定になった場合においても、連続した位置履歴ＹＰと識別子ＸＩＤとの対応付けおよび移動物体の位置の追跡が可能となる。
【００５５】
実施の形態６．
図１５は、この発明の実施の形態６による移動物検出システムの識別子受信領域３１ａ，３１ｂ，３１ｃおよび位置検出領域４１の関係を示す図である。領域３１ａは無線受信装置３ａの識別子受信領域、領域３１ｂは無線受信装置３ｂの識別子受信領域、領域３１ｃは無線受信装置３ｃの識別子受信領域である。領域４１は、位置検出装置５の位置検出領域である。
【００５６】
領域３１ａ−１，３１ｂ−１，３１ｃ−１は、識別子受信領域３１と位置検出領域４１との共通領域である。また、領域３１ａ−２，３１ｂ−２，３１ｃ−２は、識別子受信領域３１であり、かつ位置検出領域４１の外の領域である。さらに、領域４１−２は、位置検出領域４１であり、かつ識別子受信領域３１の外の領域である。装置および手段の構成は実施の形態５と同様である。
【００５７】
図１６は、この発明の実施の形態６による移動物体検出システムの移動物体対応付け手段７の対応付け処理方法を示すフローチャートである。以下に、移動物体対応付け手段７の対応付け処理方法を説明する。
【００５８】
識別子ＸＩＤとの対応付け処理がされていない位置履歴ＹＰＸが最初に領域４１−２で検出されたかどうかを判断する(Ｓ６１)。識別子ＸＩＤとの対応付け処理がされていない位置履歴ＹＰＸが最初に領域４１−２で検出された場合には、位置履歴ＹＰＸから人物１が領域４１−２から識別子受信領域である領域３１ａ−１へ移動したかどうかを判断する(Ｓ６２)。人物１が領域４１−２から識別子受信領域である領域３１ａ−１へ移動しなかった場合には、処理を終了する。人物１が領域４１−２から領域３１ａ−１に移動した場合には、位置履歴ＹＰとの対応付け処理がされておらず、かつ領域３１ａで受信された識別子ＸＩＤＸの受信開始時刻ｔＸＩＤＳＸと人物１が領域４１−２から識別子受信領域である領域３１ａ−１に移動した時刻すなわち人物１が識別子受信領域である領域３１ａ−１に入ったと位置検出装置５が検出した時刻ＴＭとの差が所定時間ＴＤ１以内であるかどうかを判断する（Ｓ６３）。
【００５９】
識別子ＸＩＤＸの受信開始時刻ｔＸＩＤＳＸと人物１が識別子受信領域である領域３１ａ−１に入ったと位置検出装置５が検出した時刻ＴＭとの差が所定時間ＴＤ１を超えている場合には、処理を終了する。識別子ＸＩＤＸの受信開始時刻ｔＸＩＤＳＸと人物１が識別子受信領域である領域３１ａ−１に入ったと位置検出装置５が検出した時刻ＴＭとの差が所定時間ＴＤ１以内である場合には、位置履歴ＹＰＸと識別子ＸＩＤＸとを対応付ける(Ｓ６４)。
【００６０】
ステップＳ６１の判断の結果、識別子ＸＩＤとの対応付け処理がされていない位置履歴ＹＰＸが最初に領域４１−２で検出されていない場合には、識別子ＸＩＤとの対応付け処理がされていない位置履歴ＹＰＸが最初に領域３１ａ−１で検出されたかどうかを判断する(Ｓ６５)。識別子ＸＩＤとの対応付け処理がされていない位置履歴ＹＰＸが最初に領域３１ａ−１で検出された場合には、位置履歴ＹＰとの対応付け処理がされておらず、かつ位置履歴ＹＰＸが検出される前から領域３１ａで受信されている識別子ＸＩＤＹがあるかを判断する（Ｓ６６）。
【００６１】
位置履歴ＹＰと対応付けられておらず、かつ位置履歴ＹＰＸが検出される前から領域３１ａで受信されている識別子ＸＩＤＹがある場合には、識別子ＸＩＤＹの受信開始時刻ｔＸＩＤＳＹと位置履歴ＹＰＸの検出開始時刻ｔＹＰＳＸとの差が所定時間ＴＤ４以内であるかどうかを判断する(Ｓ６７)。ステップＳ６７の判断の結果、識別子ＸＩＤＹの受信開始時刻ｔＸＩＤＳＹと位置履歴ＹＰＸの検出開始時刻ｔＹＰＳＸとの差が所定時間ＴＤ４以内である場合には、位置履歴ＹＰＸと識別子ＸＩＤＹとを対応付ける(Ｓ６８)。ステップＳ６５からステップＳ６７の判断の結果、該当するものがなかった場合には、処理を終了する。
【００６２】
このような構成および機能にすることによって、識別子受信領域３１と位置検出領域４１の関係が複雑な場合であっても、位置履歴ＹＰと識別子ＸＩＤとの対応付けおよび連続した移動物体の位置の追跡が可能となる。また、識別子受信領域でない領域から識別子受信領域３１への移動を検出して位置履歴ＹＰと識別子ＸＩＤとの対応付けを行うので、無線受信装置３および位置検出装置５の多様な設置パターンに対応することが可能となる。さらに、無線受信装置３の受信および位置検出装置５の検出が不安定な場合であっても、連続した位置履歴ＹＰと識別子ＸＩＤとの対応付けおよび移動物体の位置の追跡が可能となる。
【００６３】
実施の形態７．
図１７は、この発明の実施の形態７による移動物体検出システムを示す構成図である。画像検出装置５１は、カメラなどによって移動物体である人物１の画像を検出する。移動物体画像管理手段５２は、移動物体対応付け手段７から得られる人物１の位置履歴ＹＰおよび識別子ＸＩＤに基づいて、画像検出装置５１から得られる画像を識別子ＸＩＤと対応付けて保存し、管理する。また、移動物体画像管理手段５２は、識別子ＸＩＤが得られない人物１については、識別子ＸＩＤ無しとして画像を保存し、管理する。その他の構成は、実施の形態１と同様である。
【００６４】
このような構成にすると、移動物体の識別子ＸＩＤを付与した画像を記録することができる。また、移動物体の識別子ＸＩＤに基づいて、後から特定の識別子ＸＩＤに対応した映像の検索を行うことが容易になる。さらに、識別子ＸＩＤ無しの画像の検索も容易に行うことができるようになる。
【００６５】
この実施の形態７では、画像検出装置５１は位置検出装置５と別としたが、位置検出装置５として画像センサまたはステレオカメラセンサを用いて、画像検出装置５１と位置検出装置５を一体としても同様の効果を得ることができる。
【００６６】
実施の形態８．
図１８はこの発明の実施の形態８による移動物体検出システムを示す構成図である。移動物管理手段６１は、移動物体対応付け手段７から得られる識別子ＸＩＤを付与した移動物体である人物１の位置履歴ＹＰを管理する。その他の構成は、実施の形態１と同様である。
【００６７】
このような構成にすることによって、識別子ＸＩＤと対応付けた移動物体の位置履歴ＹＰを管理することができ、誰がどのような行動をしているかを容易に把握できるようになる。
【００６８】
実施の形態９．
図１９はこの発明の実施の形態９による移動物体検出システムを示す構成図である。利用者管理手段７１はシステムの利用または通行を許可されている利用者を管理する。移動物体認証手段７２は、移動物体対応付け手段７から得られる人物１の位置履歴ＹＰに基づいて人物１がシステムを利用するか、またはゲート等を通行するかを検出する。また、移動物体認証手段７２は、この人物１の位置履歴ＹＰと対応付けられた識別子ＸＩＤに基づいて利用者管理手段７１を参照し、人物１のシステムの利用またはゲート通行の認証を行う。人物１の位置履歴ＹＰに基づいた移動物のシステムの利用またはゲート通行の検出は、対象システムまたはゲートに対して人物１が近づくなどの行動によって検出する。その他の構成は、実施の形態１と同様である。
【００６９】
移動物体認証手段７２は利用者管理手段７１を参照して、人物１のシステム利用又はゲート通過の認証を行うとしたが、移動物体対応付け手段７から得られる識別子ＸＩＤに含まれるシステムの利用又はゲート通行の許可・不許可信号を参照して、人物１のシステムの利用又はゲート通過の認証を行ってもよい。
【００７０】
このような構成および機能にすることによって、扉開閉の認証、交通機関の自動改札、エレベータ利用の認証、駐車場利用の認証等のシステムにおいて、近づいてきた移動物体を検出し、移動物体に対応付けられた識別子ＸＩＤを参照するので、移動物体のシステムの利用またはゲート通行の認証を行うことができる。また、移動物体の位置履歴ＹＰおよび識別子ＸＩＤを参照するので、扉開閉の認証、交通機関の自動改札等において、移動物体が立ち止まって識別子ＸＩＤが含まれたカードをカードリーダーにかざすなどの行動をすることなく、近づいてきただけで認証して通行の許可・不許可を行うことが可能となる。
【図面の簡単な説明】
【００７１】
【図１】実施の形態１に示す移動物体検出システムの構成図である。
【図２】実施の形態１に示す移動物体検出システムの識別子受信領域および位置検出領域の関係を表す図である。
【図３】実施の形態１に示す位置履歴ＹＰおよび識別子ＸＩＤの履歴である。
【図４】実施の形態１に示す移動物体対応付け手段の対応付け処理方法のフローチャートである。
【図５】実施の形態２に示す位置履歴ＹＰおよび識別子ＸＩＤの履歴である。
【図６】実施の形態２に示す位置履歴ＹＰおよび識別子ＸＩＤの履歴である。
【図７】実施の形態２に示す移動物体対応付け手段の対応付け解除および再対応付け処理方法のフローチャートである。
【図８】実施の形態３に示す移動物体対応付け手段の対応付けおよび対応付けの保留の処理方法を示すフローチャートである。
【図９】実施の形態４に示す移動物体検出システムの識別子受信領域および位置検出領域の関係を表す図である。
【図１０】実施の形態４に示す移動物体検出システムにおける移動物体対応付け手段の対応付け処理方法のフローチャートである。
【図１１】実施の形態４に示す移動物体検出システムの識別子受信領域および位置検出領域の関係を表す図である。
【図１２】実施の形態５に示す移動物体検出システムの構成図である。
【図１３】実施の形態５に示す移動物体検出システムの識別子受信領域および位置検出領域の関係を表す図である。
【図１４】実施の形態５に示す移動物体検出システムにおける移動物体対応付け手段の対応付け処理方法のフローチャートである。
【図１５】実施の形態６に示す移動物体検出システムの識別子受信領域および位置検出領域の関係を表す図である。
【図１６】実施の形態６に示す移動物体検出システムにおける移動物体対応付け手段の対応付け処理手法のフローチャートである。
【図１７】実施の形態７に示す移動物体検出システムの構成図である。
【図１８】実施の形態８に示す移動物体検出システムの構成図である。
【図１９】実施の形態９に示す移動物体検出システムの構成図である。
【符号の説明】
【００７２】
１  人物、  ２  携帯端末、  ３，３ａ，３ｂ，３ｃ  無線受信装置、  ４  識別子履歴管理手段、  ５  位置検出装置、  ６  位置履歴管理手段、  ７  移動物体対応付け手段、  ３１，３１ａ，３１ｂ，３１ｃ  識別子受信領域、  ３１ａ−１，３１ｂ−１，３１ｃ−１  識別子受信領域と位置検出領域との共通領域、  ３１ａ−２，３１ｂ−２，３１ｃ−２  識別子受信領域であり、かつ位置検出領域の外の領域、  ４１  位置検出領域、  ４１−１  識別子受信領域３１と位置検出領域４１との共通領域、  ４１−２  位置検出領域４１であり、かつ識別子受信領域３１の外の領域、  ５１  画像検出装置、  ５２  移動物体画像記録手段、  ６１  移動物管理手段、  ７１  利用者管理手段、  ７２  移動物体認証手段。
【図１】
2006098214.tif 000003
【図２】
2006098214.tif 000004
【図３】
2006098214.tif 000005
【図４】
2006098214.tif 000006
【図５】
2006098214.tif 000007
【図６】
2006098214.tif 000008
【図７】
2006098214.tif 000009
【図８】
2006098214.tif 000010
【図９】
2006098214.tif 000011
【図１０】
2006098214.tif 000012
【図１１】
2006098214.tif 000013
【図１２】
2006098214.tif 000014
【図１３】
2006098214.tif 000015
【図１４】
2006098214.tif 000016
【図１５】
2006098214.tif 000017
【図１６】
2006098214.tif 000018
【図１７】
2006098214.tif 000019
【図１８】
2006098214.tif 000020
【図１９】
2006098214.tif 000021